(57)【要約】【課題】作業者の安全性向上を図ると共に、作業労力の低減および操作性の向上も併せて図ること。【解決手段】書籍Ｂの綴じ部分を切断するための書籍用裁断装置であって、書籍を載せる載置面１を有するテーブル本体２と、このテーブル本体２の載置面１の上に上下動可能に配置した押え板３と、この押え板３を上下移動させるハンドル４と、スイッチの操作により上下動する切断刃と、を備える。スイッチは、載置面から離れた位置に配置した第1スイッチ５ａと第2スイッチ５ｂとを有する。第1スイッチ及び第2スイッチの両方をＯＮ操作したときに、切断刃が降下することを特徴とする。【選択図】図１
2014039974.tif 000002
【特許請求の範囲】
【請求項１】
書籍の綴じ部分を切断するための書籍用の裁断装置であって、
書籍を載せる載置面を有するテーブル本体と、
このテーブル本体の載置面の上に上下動可能に配置した押え板と、
この押え板を上下移動させるハンドルと、
スイッチ操作により上下動する切断刃と、を備え、
前記スイッチは、前記載置面から離れた位置に配置した第1スイッチ及び第2スイッチを有し、
前記第1スイッチ及び第2スイッチの両方をＯＮ操作したときに、前記切断刃が降下する構成であることを特徴とする、書籍用裁断装置。
【請求項２】
スイッチ操作により前記ハンドルを回転させる駆動機構を備えていることを特徴とする、請求項１に記載の書籍用裁断装置。
【請求項３】
前記駆動機構は、駆動モータと、駆動モータの駆動操作を行う操作スイッチと、を備えていることを特徴とする、請求項１又は２に記載の書籍用裁断装置。
【請求項４】
前記ス操作イッチは、左手で操作する第３スイッチと、右手で操作する第４スイッチとを有し、
前記第３スイッチ及び第４スイッチの両方をＯＮ操作したときに、前記押さえ板が降下することを特徴とする、書籍用裁断装置。
【請求項５】
前記第1スイッチ及び第2スイッチは、テーブル本体の前面側の左右に配置されていることを特徴とする、請求項１〜４の何れかに記載の書籍用裁断装置。
【請求項６】
前記第3スイッチ及び第4スイッチは、テーブル本体の左右の側面に設けられていることを特徴とする請求項１〜４の何れかに記載の書籍用裁断装置。
【発明の詳細な説明】
【技術分野】
【０００１】
本発明は、製本された書籍の綴じ部分を切断するのに用いて好適な書籍の裁断装置に関する。
【背景技術】
【０００２】
近年、携帯の便利さや保管スペースが少なくてすむ等の理由から、印刷された書籍をスキャナー等の画像取り込み機器を用いて画像情報に変換し電子書籍化することが行われている。
【０００３】
このような電子書籍化においては、スキャナー等を用いて書籍をページ毎にスキャンする作業を必要としている。そして、このスキャン作業の効率化を図るためには、書籍の綴じ部分（書籍の背）を裁断し、一枚毎の紙の束にしてから、これらを一枚ずつスキャナーで自動的に取り込んで読み込む作業が必要となる。
【０００４】
特許文献１には、大判シート束を容易かつ正確に揃えることができ、この大判シート束から小判シート束に裁断する作業を自動的にかつ効率的に行うことを可能としたシート体の自動裁断装置に係る技術が開示されている。
特許文献２には、切断紙の余白の幅を任意に調整して切断することのできる紙裁断機の技術が開示されている。
【先行技術文献】
【特許文献】
【０００５】
【特許文献１】特開平１０−１２８６９６号公報
【特許文献２】特開２００７−１９８７１１号公報
【発明の概要】
【発明が解決しようとする課題】
【０００６】
ところで、書籍の綴じ部分を裁断するには、図４に示すような書籍専用の裁断機を用いることができる。この裁断機は、書籍Ｂを載せる載置面１を有するテーブル本体２と、このテーブル本体２の載置面１の上に上下動可能に配置した押え板３と、この押え板３を上下移動させるハンドル４と、押しボタン式のスイッチ５の操作により上下移動する切断刃（図示せず）とを備えている。
【０００７】
図４に示す専用の裁断機では、載置面１に書籍Ｂを載せた後、切断刃での裁断時において書籍Ｂが動かないようにするため、ハンドル４を回し、書籍Ｂを押さえ板３で上からしっかりと押さ付ける作業を必要としている。このため、ハンドル４を回転操作するのに多大な労力を要する問題がある。
【０００８】
また、書籍Ｂの綴じ部分の裁断には、押しボタンスイッチ５を押して切断刃を降下させる操作を行うが、こうした作業は人手によっているため、安全性に対する充分な配慮が必要である。即ち、裁断時に切断刃を降下させる操作においては、載置面１上に作業者の手が位置しない対策が必要である。このような対策は、押さえ板３を降下させる際にも同様に必要である。
【０００９】
よって、本発明は、作業者の安全性向上を図ると共に、作業労力の低減および操作性の向上も併せて図ることができる書籍用の裁断装置を提供することを課題とする。
【課題を解決するための手段】
【００１０】
上記課題を解決する本発明は、書籍の綴じ部分を切断するための書籍用裁断装置であって、
書籍を載せる載置面を有するテーブル本体と、このテーブル本体の載置面の上に上下動可能に配置した押え板と、この押え板を上下移動させるハンドルと、スイッチ操作により上下動する切断刃と、を備え、
前記スイッチは、前記載置面から離れた位置に配置した第1スイッチと第2スイッチとを有し、
前記第1スイッチ及び第2スイッチの両方をＯＮ操作したときに、前記切断刃が降下することを特徴とする。
【００１１】
本発明によれば、第1スイッチ及び第2スイッチの両方をＯＮ操作したときに、切断刃が降下する構成としてあるので、載置面上に作業者の手が位置しない構成とすることができる。この際、第1スイッチ及び第2スイッチの両方をＯＮ操作する必要があるので、作業者の両方の手が書籍を置く載置面上に位置しない構成とすることができる。これにより、作業者の安全性を格段に高めることができると共に、作業労力の低減および作業性の向上を併せて図ることができる。
【００１２】
本発明の好ましい形態では、スイッチ操作により前記ハンドルを回転させる駆動機構を備えていることを特徴とする。
このような駆動機構を備えることで、押え板による書籍の押え操作を動力を用いて行うことができる。これにより、ハンドルを手で回す作業を不要にし、その分、労力の低減及び作業性の向上を図ることができる。
【００１３】
本発明の好ましい形態では、前記駆動機構は、駆動モータと、駆動モータの駆動操作を行う操作スイッチと、を備えていることを特徴とする。
このように、スイッチ操作によりハンドルを回転させる駆動機構は、駆動モータと、駆動モータの駆動操作を行う操作スイッチとを備えているので、操作スイッチを操作するだけで、ハンドルを回転させて押え板を上下動させることができる。
【００１４】
本発明の好ましい形態では、前記操作スイッチは、左手で操作する第３スイッチと、右手で操作する第４スイッチとを有し、第３スイッチ及び第４スイッチの両方をＯＮ操作したときに、押さえ板が降下することを特徴とする。
【００１５】
このように、第３スイッチ及び第４スイッチの両方をＯＮ操作したときに、押さえ板が降下する構成とすることで、この操作においても、載置面上に作業者の手が位置しない構成とすることができる。また、第３スイッチ及び第４スイッチの両方をＯＮ操作する必要があるので、作業者の両方の手が書籍を置く載置面上に位置しない構成とすることができる。これにより、作業者の安全性を格段に高めることができると共に、作業労力の低減および作業性の向上を併せて図ることができる。
【００１６】
本発明の好ましい形態では、前記第1スイッチ及び第2スイッチは、テーブル本体の前面側の左右に配置されていることを特徴とする。
第１スイッチ及び第２スイッチをこのように配置することで、スイッチ操作に便利でしかも載置面上に作業者の手が位置しない構成とすることができる。
【００１７】
本発明の好ましい形態として、前記第3スイッチ及び第4スイッチは、テーブル本体の左右の側面に設けられていることを特徴とする。
このように第3スイッチ及び第4スイッチを、テーブル本体の左右の側面に設けることで、この場合も、スイッチ操作に便利でしかも載置面上に作業者の手が位置しない構成とすることができる。
【発明の効果】
【００１８】
本発明によれば、スイッチ操作により上下動する切断刃を備え、スイッチは、載置面から離れた位置に配置した第1スイッチと第2スイッチとを有し、第1スイッチ及び第2スイッチの両方をＯＮ操作したときに、切断刃が降下する構成としたことで、作業者の安全性向上を図ると共に、作業労力の低減および操作性の向上も併せて図ることができる書籍用の裁断装置を提供すること、利便性が大幅に向上する。
【図面の簡単な説明】
【００１９】
【図１】本発明の一実施形態に係る書籍用裁断装置の概略斜視図である。
【図２】本発明の一実施形態に係る書籍用裁断装置の右概略斜視図である。
【図３】本発明の一実施形態に係る書籍用裁断装置の制御系を示すブロック図である。
【図４】従来の裁断装置の駆動機構を示すブロック図である。
【発明を実施するための形態】
【００２０】
以下、本発明の一実施形態を図１ないし図３を参照して説明する。
図１、図２は、本実施形態に係る書籍用裁断装置の概略構成図である。
この書籍用裁断装置は、書籍Ｂの綴じ部分を切断するための装置であって、書籍Ｂを載せる載置面１を有するテーブル本体２と、このテーブル本体２の載置面１の上に上下動可能に配置した押え板３と、この押え板３を上下移動させるハンドル４と、スイッチ５の操作により上下動する切断刃（図示せず）と、操作スイッチ７の操作により上下動する押え板３と、を備えている。
【００２１】
スイッチ５は、載置面１から離れた位置に配置した第1スイッチ５ａと、第2スイッチ５ｂと、を有し、第1スイッチ５ａ及び第2スイッチ５ｂの両方をＯＮ操作したときに、駆動装置が作動し、切断刃が降下する構成としている。第１スイッチ５ａは左手での操作用であり、第２スイッチ５ｂは右手での操作用である。
【００２２】
操作スイッチ７は、左手で操作する第３スイッチ７ａと、右手で操作する第４スイッチ７ｂとを有し、第３スイッチ及び第４スイッチの両方をＯＮ操作したときに、押さえ板３が降下する構成としている。
【００２３】
次いで、これらの詳細について説明する。
テーブル本体２は、平面矩形の箱形に形成された台部分２ａと、その台部分２ａの上面に形成された平坦な載置面１と、台部分２ａを安定に支持する脚部２ｂとを有している。
【００２４】
第１スイッチ５ａ、第２スイッチ５ｂは、台部分２ａの前面２ｃ側の左右に配置されている。台部分２ａの前面２ｃ側の中央には、載置面１上の書籍Ｂの綴じ部分（背部分）を一列に揃える機能を持つ調整板用の操作ハンドル１０が設けられている。
【００２５】
テーブル本体２の上には、立ち上り部２ｄが設けられ、その前面中央部に開口２ｅが設けられている。そして、この開口２ｅ内において押え板３が、ハンドル４と図示しないねじ機構を介して上下動可能に設けられている。ハンドル４は立ち上がり部２ｄの上部に配置されている。このハンドル４には操作ノブ４ｃが設けられている。
【００２６】
このハンドル４には、操作スイッチ７の操作によりハンドル４を回転させる駆動機構６が装備されている。駆動機構６は、駆動モータ６ａと、その減速機６ｂと、駆動モータ６ａの出力軸に固定された駆動プーリ６ｃと、ハンドル４の回転軸に固定された従動プーリ４ａと、それら駆動プーリ６ｃと従動プーリ４ａとの間に掛け渡されたＶベルト４ｂと、駆動モータ６ａの駆動操作を行う操作スイッチ７と、を備えている。
【００２７】
操作スイッチ７は、左手で操作する第３スイッチと、右手で操作する第４スイッチとを有し、第３スイッチ及び第４スイッチの両方をＯＮ操作したときに、押さえ板３が降下する構成としている。
【００２８】
第3スイッチ７ａ及び第4スイッチ７ｂは、この実施形態ではテーブル本体２の左右の側面２ｆの部分に設けられている。このように配置した場合、第１スイッチ５ａ、５ｂと感覚的に区別しやすい配置とすることができる。
【００２９】
図３は、駆動機構６の制御系を示す説明図である。同図に示すように、この制御系では、第３スイッチに対応する操作スイッチ７ａと、第４スイッチに対応する操作スイッチ７ｂとが小型シーケンサ９に配線ａを介して接続され、シーケンサ９はモータコントローラ８に配線ｂを介して接続され、モータ６ａは配線ｃを介してモータコントローラ８に接続されている。
【００３０】
よって、この実施形態では、操作スイッチ７ａ、７ｂの両方がＯＮ操作（押されれば）されれば、押え板３が下がり、操作スイッチ７ａ、７ｂのどちらか片方しか押されなければ、押え板３は上がり、両方押されなければ止まる、ように設定されている。
【００３１】
本実施形態によれば、第1スイッチ５ａ及び第2スイッチ５ｂの両方をＯＮ操作したときに、切断刃が降下する構成としてあるので、載置面１上に作業者の手が位置しない構成とすることができる。この際、第1スイッチ５ａ及び第2スイッチ５ｂの両方をＯＮ操作する必要があるので、作業者の両方の手が書籍Ｂを置く載置面１上に位置しない構成とすることができる。これにより、作業者の安全性を格段に高めることができると共に、作業労力の低減および作業性の向上を併せて図ることができる。
【００３２】
また、スイッチ７の操作によりハンドル４を回転させる駆動機構６を備えることで、押え板３による書籍Ｂの押え操作を動力を用いて行うことができる。これにより、ハンドル４を手で回す作業を不要にし、その分、労力の低減及び作業性の向上を図ることができる。
【００３３】
また、スイッチ７の操作によりハンドル４を回転させる駆動機構６は、駆動モータ６ａと、駆動モータ６ａの駆動操作を行う操作スイッチ７とを備えているので、操作スイッチ７を操作するだけで、ハンドル４を回転させて押え板３を上下動させることができる。
【００３４】
また、第３スイッチ７ａ及び第４スイッチ７ｂの両方をＯＮ操作したときに、押さえ板３が降下する構成とすることで、この操作においても、載置面１上に作業者の手が位置しない構成とすることができる。また、第３スイッチ７ａ及び第４スイッチ７ｂの両方をＯＮ操作する必要があるので、作業者の両方の手が書籍Ｂを置く載置面１上に位置しない構成とすることができる。これにより、作業者の安全性を格段に高めることができると共に、作業労力の低減および作業性の向上を併せて図ることができる。
【図１】
2014039974.tif 000003
【図２】
2014039974.tif 000004
【図３】
2014039974.tif 000005
【図４】
2014039974.tif 000006
【手続補正書】
【提出日】平成25年7月1日(2013.7.1)
【手続補正１】
【補正対象書類名】特許請求の範囲
【補正対象項目名】全文
【補正方法】変更
【補正の内容】
【特許請求の範囲】
【請求項１】
書籍の綴じ部分を切断するための書籍用の裁断装置であって、書籍を載せる載置面を有するテーブル本体と、このテーブル本体の載置面上に、上下動可能に配置した押え板及び上下動可能に配置した切断刃と、この切断刃の降下操作をなす第1スイッチ及び第2スイッチと、前記押え板の降下操作をなす第３スイッチ及び第４スイッチとを有し、前記第1スイッチ及び第2スイッチの両方をＯＮ操作したときに前記切断刃が降下し、前記第３スイッチ及び第４スイッチの両方をＯＮ操作したときに、前記押え板が降下する構成となされ、かつ、前記第１スイッチと第２スイッチが、前記テーブル本体の前面の左右の縁部近傍に離間して設けられ、前記第３スイッチと第４スイッチが、前記テーブル本体の左右の側面に振り分けて設けられていることを特徴とする書籍用裁断装置。
【請求項２】
押え板に、前記第３スイッチ及び第４スイッチによって駆動されて、前記押え板を上下動させる駆動機構が連設されていることを特徴とする請求項１に記載の書籍用裁断装置。
【手続補正２】
【補正対象書類名】明細書
【補正対象項目名】０００７
【補正方法】変更
【補正の内容】
【０００７】
図４に示す専用の裁断機では、載置面１に書籍Ｂを載せた後、切断刃での裁断時において書籍Ｂが動かないようにするため、ハンドル４を回し、書籍Ｂを押え板３で上からしっかりと押え付ける作業を必要としている。このため、ハンドル４を回転操作するのに多大な労力を要する問題がある。
【手続補正３】
【補正対象書類名】明細書
【補正対象項目名】０００８
【補正方法】変更
【補正の内容】
【０００８】
また、書籍Ｂの綴じ部分の裁断には、押しボタンスイッチ５を押して切断刃を降下させる操作を行うが、こうした作業は人手によっているため、安全性に対する充分な配慮が必要である。即ち、裁断時に切断刃を降下させる操作においては、載置面１上に作業者の手が位置しない対策が必要である。このような対策は、押え板３を降下させる際にも同様に必要である。
【手続補正４】
【補正対象書類名】明細書
【補正対象項目名】００１０
【補正方法】変更
【補正の内容】
【００１０】
上記課題を解決する本発明は、書籍の綴じ部分を切断するための書籍用の裁断装置であって、書籍を載せる載置面を有するテーブル本体と、このテーブル本体の載置面上に、上下動可能に配置した押え板及び上下動可能に配置した切断刃と、この切断刃の降下操作をなす第1スイッチ及び第2スイッチと、前記押え板の降下操作をなす第３スイッチ及び第４スイッチとを有し、前記第1スイッチ及び第2スイッチの両方をＯＮ操作したときに前記切断刃が降下し、前記第３スイッチ及び第４スイッチの両方をＯＮ操作したときに、前記押え板が降下する構成となされ、かつ、前記第１スイッチと第２スイッチが、前記テーブル本体の前面の左右の縁部近傍に離間して設けられ、前記第３スイッチと第４スイッチが、前記テーブル本体の左右の側面に振り分けて設けられていることを特徴とする。
【手続補正５】
【補正対象書類名】明細書
【補正対象項目名】００１４
【補正方法】変更
【補正の内容】
【００１４】
本発明の好ましい形態では、前記操作スイッチは、左手で操作する第３スイッチと、右手で操作する第４スイッチとを有し、第３スイッチ及び第４スイッチの両方をＯＮ操作したときに、押え板が降下することを特徴とする。
【手続補正６】
【補正対象書類名】明細書
【補正対象項目名】００１５
【補正方法】変更
【補正の内容】
【００１５】
このように、第３スイッチ及び第４スイッチの両方をＯＮ操作したときに、押え板が降下する構成とすることで、この操作においても、載置面上に作業者の手が位置しない構成とすることができる。また、第３スイッチ及び第４スイッチの両方をＯＮ操作する必要があるので、作業者の両方の手が書籍を置く載置面上に位置しない構成とすることができる。これにより、作業者の安全性を格段に高めることができると共に、作業労力の低減および作業性の向上を併せて図ることができる。
【手続補正７】
【補正対象書類名】明細書
【補正対象項目名】００２２
【補正方法】変更
【補正の内容】
【００２２】
操作スイッチ７は、左手で操作する第３スイッチ７ａと、右手で操作する第４スイッチ７ｂとを有し、第３スイッチ及び第４スイッチの両方をＯＮ操作したときに、押え板３が降下する構成としている。
【手続補正８】
【補正対象書類名】明細書
【補正対象項目名】００２７
【補正方法】変更
【補正の内容】
【００２７】
操作スイッチ７は、左手で操作する第３スイッチと、右手で操作する第４スイッチとを有し、第３スイッチ及び第４スイッチの両方をＯＮ操作したときに、押え板３が降下する構成としている。
【手続補正９】
【補正対象書類名】明細書
【補正対象項目名】００３４
【補正方法】変更
【補正の内容】
【００３４】
また、第３スイッチ７ａ及び第４スイッチ７ｂの両方をＯＮ操作したときに、押え板３が降下する構成とすることで、この操作においても、載置面１上に作業者の手が位置しない構成とすることができる。また、第３スイッチ７ａ及び第４スイッチ７ｂの両方をＯＮ操作する必要があるので、作業者の両方の手が書籍Ｂを置く載置面１上に位置しない構成とすることができる。これにより、作業者の安全性を格段に高めることができると共に、作業労力の低減および作業性の向上を併せて図ることができる。